(57)【要約】【課題】平面から立体形状の構成体を形成し、不使用時には平面またはロール形状に変形可能であり、使用時に比して収納場所を必要とせず、持ち運び容易な、シンプルな構成からなるイスを提供する。【解決手段】  座体１０と脚体５０からなるイス１であって、座体１０は台形状で下辺を二等辺三角状に切り欠いた樹脂シートを曲成した漏斗状体からなり、脚体５０は半円状の長辺部分を台形状に切り欠いた樹脂シートを曲成した開口部５６を有する略円錐状体からなり、座体１０は脚体５０の開口部５６に着脱自在に載置し、座体１０と脚体５０はそれぞれ１枚の樹脂シートから形成したイス１とした。【選択図】図１
2019202095.tif 000002
【特許請求の範囲】
【請求項１】
座体と脚体からなるイスであって、
座体は台形状で下辺を二等辺三角状に切り欠いた樹脂シートを曲成した漏斗状体からなり、
脚体は半円状の長辺部分を台形状に切り欠いた樹脂シートを曲成した開口部を有する略円錐状体からなり、
座体は脚体の開口部に着脱自在に載置し、
座体と脚体はそれぞれ１枚の樹脂シートから形成したことを特徴とするイス。
【請求項２】
座体と脚体は、係止手段を設けた請求項１記載のイス。
【請求項３】
座体は、背部と座部と肘部を設けた請求項１または請求項２記載のイス。
【請求項４】
座体は脚体の開口部に、載置位置および載置角度を調整可能に設けた、請求項１乃至請求項３のいずれかに記載のイス。
【請求項５】
切断可能な厚みを有する樹脂シートを切断して、台形状で下辺を二等辺三角状に切り欠いた座体と、半円状の長辺部分を台形状に切り欠いた脚体を分離し、
座体は台形状で下辺を二等辺三角状に切り欠いた樹脂シートを漏斗状に曲成し、
脚体は半円状の長辺部分を台形状に切り欠いた樹脂シートを開口部を有する略円錐状体に曲成し、
座体と脚体に設けた係止手段でそれぞれ固定して立体形状とし、
座体は脚体の開口部に着脱自在で位置方向・角度を調整可能に載置して組み合わせたことを特徴とするイスの製造方法。
【発明の詳細な説明】
【技術分野】
【０００１】
本発明は、イスに関するものである。
【背景技術】
【０００２】
イスは現代の生活に欠かせないものであり、座って作業したり、休んだりする実用性と共に、室内装飾品としての美しさを備えるものである。
【０００３】
ここで、畳や床の上で座布団に座る生活において、必要時以外は座布団を押入れ等に収納しておくことができ、常時座布団を敷いておく場所を確保しなくてもよいが、イスに座る生活では、イスを常時設置しておく場所が必要となり、片づけることができない。
【０００４】
ここで、下記特許文献１の発明は、図１４に示すように、同形状の椅子を上下に積み重ねて収納することが可能な椅子７１を開示する。
【０００５】
椅子７１を上下方向に複数積み重ねる場合、下方側の椅子７１の座８１の上面に上方側の椅子７１の座８１の下面を載置する。このとき、上方側の椅子７１は、座８１の裏面カバー８１Ｂの下面の窪み部８５を下方側の椅子７１の座本体８１Ａの前縁湾曲面８１Ａ−ａと係合させる。上方側の椅子７１の座８１の窪み部８５は、座８１の端縁側の最深部から中央側領域に向かって下方傾斜しているため、このとき、上方側の椅子７１は、窪み部８５を下方側の椅子７１の前縁湾曲面８１Ａ−ａと係合させつつ、その係合部位を支点として中央側領域が下方となるように傾斜しようとする。この結果、上方側の椅子７１の重心に作用する荷重により、上方側の椅子７１の窪み部８５と下方側の椅子７１の前縁湾曲面８１Ａ−ａの係合状態が維持されるとともに、上方側の椅子７１が前方側に滑り落ちにくくなる。椅子７１においては、座８１の上面側の前端縁（前縁湾曲面８１Ａ−ａ）と略同形状の窪み部８５が座８１の下面に上方側に窪んで設けられ、窪み部８５が、座８１の前端縁側の最深部から中央側領域に向かって下方傾斜して形成されている。このため、下方側の椅子７１の座８１の上方側の端縁に上方側の椅子７１の窪み部８５を係合させたときに、上方側の椅子７１の重心に作用する荷重により、上方側の椅子７１の窪み部８５と下方側の椅子７１の座８１の上面側の端縁との係合を安定的に維持することができる。
【０００６】
このように、椅子７１は、構造を複雑にすることなく、下方側の椅子７１の座８１の上部に上方側の椅子７１の座８１を安定して積み重ねることができる。
【先行技術文献】
【特許文献】
【０００７】
【特許文献１】特開２０１６−８６８４０号公報（椅子）
【発明の概要】
【発明が解決しようとする課題】
【０００８】
しかし、特許文献１の発明に係る椅子は、椅子の数に比例して高さ方向に積み重ねることができるにとどまるのみで、必ず１脚分の床面積が必要となる、という問題がある。
【０００９】
また、椅子が高さ方向に積み重なっているため、椅子を使用する際には、重なった椅子を下す作業が必要で労力がかかり、しかも、重ねる数や高さに限度がある、という問題もある。
【００１０】
さらに、現代の椅子は、技術革新が高度に進化しているため、その構造が複雑になり、その製造にはたくさんの部材を必要とする、という問題もある。
【００１１】
本発明の目的は、前記従来例の不都合を解消し、平面から立体形状の構成体を形成し、不使用時には平面またはロール形状に変形可能であり、使用時に比して収納場所を必要とせず、持ち運び容易な、シンプルな構成からなるイスを提供することにある。
【課題を解決するための手段】
【００１２】
前記目的を達成するため請求項１記載の本発明は、座体と脚体からなるイスであって、座体は台形状で下辺を二等辺三角状に切り欠いた樹脂シートを曲成した漏斗状体からなり、脚体は半円状の長辺部分を台形状に切り欠いた樹脂シートを曲成した開口部を有する略円錐状体からなり、座体は脚体の開口部に着脱自在に載置し、座体と脚体はそれぞれ１枚の樹脂シートから形成したことを要旨とするものである。
【００１３】
請求項１記載の本発明によれば、平板である樹脂シートから、イスの構成部材である、台形状で下辺を二等辺三角状に切り欠いた座体と、半円状の長辺部分を台形状に切り欠いた脚体を、断裁、曲成して組み立てることにより、漏斗状の座体と、略円錐台形の脚体を形成して、立体形状の部材を形成することができる。
【００１４】
さらに、座体を、脚体の開口部に載せ置くだけでイスを構成することができるため、着脱自在とすることができる。
【００１５】
樹脂シートから断裁した座体と脚体の２つの部材から、シンプルな構成のイスを提供することができる。
【００１６】
立体形状としてのイスを使用しない場合は、曲成を解放して、座体は台形状で下辺を二等辺三角状に切り欠いた樹脂シートに、脚体は半円状の長辺部分を台形状に切り欠いた樹脂シートに戻して平面とすることができる。
【００１７】
樹脂シートは平板であり、柔軟性を有するためロール状に巻くことができ、イスの不使用時には平面またはロール形状で移動・収納することが可能で、立体形状のイスとして移動・収納する場合に比して少ない労力で移動でき、少ない保管場所で済む。
【００１８】
請求項２記載の本発明は、座体と脚体は、係止手段を設けたことを要旨とするものである。
【００１９】
請求項２記載の本発明によれば、平面の樹脂シートからイスの部材となる座体と脚体をそれぞれ断裁して、立体形状に曲成した部材を、係止手段で留めあわせ固定することにより、簡便かつ確実に立体形状を保持でき、また、イスを使用しない場合には、係止手段を解放して係止状態を簡便に解除することができ、立体形状のイスを樹脂シート本来の平面戻し、さらに、ロール形状にすることが可能である。
【００２０】
このように、イスを使用する場合の立体形状に比して、イスを使用しない場合は平面またはロール状の樹脂シートとして、コンパクトに移動・収納することができる。
【００２１】
請求項３記載の本発明は、座体は、背部と座部と肘部を設けたことを要旨とするものである。
【００２２】
請求項３記載の本発明によれば、座体は平板の樹脂シートから、台形状で下辺を二等辺三角状に切り欠いた形状に断裁して漏斗状としたことにより、腰かける機能のみにとどまらず、背部によりかかって腰を解放したり、肘部に腕を載せて肩を解放して、安楽を得ることができる。
【００２３】
請求項４記載の本発明は、座体は脚体の開口部に、載置位置および載置角度を調整可能に設けたことを要旨とするものである。
【００２４】
請求項４記載の本発明によれば、イスの使用者の身体の大きさや好みにより、求める座り心地は異なるため、脚体の開口部に載置した座体の、載置位置および載置角度を調整可能とすることにより、イスの美観のみならず、居住性・休息性を高めることができる。
【００２５】
請求項５記載の本発明は、切断可能な厚みを有する樹脂シートを切断して、台形状で下辺を二等辺三角状に切り欠いた座体と、半円状の長辺部分を台形状に切り欠いた脚体を分離し、座体は台形状で下辺を二等辺三角状に切り欠いた樹脂シートを漏斗状に曲成し、脚体は半円状の長辺部分を台形状に切り欠いた樹脂シートを開口部を有する略円錐状体に曲成し、座体と脚体に設けた係止手段でそれぞれ固定して立体形状とし、座体は脚体の開口部に着脱自在で位置方向・角度を調整可能に載置して組み合わせた製造方法を要旨とするものである。
【００２６】
請求項５記載の本発明によれば、平面から立体形状の構成体を形成し、不使用時には平面またはロール形状に変形可能であり、使用時に比して収納場所を必要としない、シンプルな構成からなるイスを製造することができる。
【発明の効果】
【００２７】
以上述べたように本発明は、平面から立体形状の構成体を形成し、不使用時には平面またはロール形状に変形可能であり、使用時に比して収納場所を必要とせず、持ち運び容易な、シンプルな構成からなるイスを提供することができる。
【図面の簡単な説明】
【００２８】
【図１】本発明のイスの１実施例を示す斜視図である。
【図２】本発明のイスの１実施例を示す正面図である。
【図３】本発明のイスの１実施例を示す右側面図である。
【図４】本発明のイスの１実施例を示す左側面図である。
【図５】本発明のイスの１実施例を示す断面図である。
【図６】本発明のイスの１実施例の展開図である。
【図７】本発明のイスの１実施例の組み立て工程１を示す説明図である。
【図８】本発明のイスの１実施例の組み立て工程２を示す説明図である。
【図９】本発明のイスの１実施例の組み立て工程３を示す説明図である。
【図１０】本発明のイスの１実施例の組み立て工程４を示す説明図である。
【図１１】本発明のイスの１実施例の使用状態を示す説明図である。
【図１２】本発明のイスの１実施例の展開図の寸法を示す説明図である。
【図１３】本発明のイスの１実施例の組み立て完成品の寸法を示す説明図である。
【図１４】従来例の椅子を積み重ねた状態を示す側面図である。
【発明を実施するための形態】
【００２９】
以下本発明を実施するための形態について説明するが、本発明はこれに限定されたものでないことは、言うまでもない。
【００３０】
以下図面について本発明のイス１の実施の形態を詳細に説明する。
【００３１】
図１は本発明のイス１の１実施例を示す斜視図、図２は正面図、図３は右側面図、図４は左側面図、図５は断面図である。
【００３２】
本発明のイス１は、樹脂シートから断裁した座体１０と脚体５０からなり、座体１０は、座部２０、背部３０、肘部４０からなる。
【００３３】
座部２０は、座部湾曲部２１と座部正面縁部２２からなる。
【００３４】
背部３０は、背部頂点部３１、背部接合上面部３２、背部接合下面部３３と背部隙間部３４からなる。
【００３５】
肘部４０は、右肘部４１、右肘部角４２、左肘部４３と左肘部角４４からなる。
【００３６】
脚体５０は、脚体正面部５１、脚体正面交差点５２、脚体右側面部５３、脚体左側面部５４、脚体背面部５５、開口部５６、脚体座体支持辺５７、脚体床接合辺５８、脚体正面交差上面部５９、脚体正面交差下面部６０、脚体右側接合上面部６１、脚体右側接合下面部６２、脚体左側接合上面部６３と脚体左側接合下面部６４からなる。
【００３７】
台形状で下辺を二等辺三角状に切り欠いた平板の樹脂シートを漏斗状に曲成して立体形状の座体１０とし、半円状の長辺部分を台形状に切り欠いた平板の樹脂シートを略円錐状体曲成して立体形状の脚体５０とする。
【００３８】
座体１０は、樹脂シートの切り欠き部分中央の座部湾曲部２１を中心として、切り欠き部分の両端で背部頂点部３１を構成するように、背部接合上面部３２と背部接合下面部３３を重ね曲成して背部隙間部３４を有する漏斗状の立体形状とする。
【００３９】
脚体５０は樹脂シートの切り欠き部分を中心にして、脚体右側接合下面部６２を中心として脚体左側接合上面部６３を重ねて略円錐状体を曲成し、脚体正面部５１、脚体右側面部５３、脚体左側面部５４、脚体背面部５５を構成し、略円錐状体の上面部に開口部５６設ける。
【００４０】
脚体正面部５１は、脚体正面交差上面部５９と脚体正面交差下面部６０の重なりにより、脚体正面交差点５２を形成する。
【００４１】
脚体右側面部５３は、脚体右側接合上面部６１と脚体右側接合下面部６２が重なることにより形成する。
【００４２】
脚体左側面部５４は、脚体左側接合上面部６３と脚体左側接合下面部６４が重なることにより形成する。
【００４３】
樹脂シートの重なりは、面積は広く、また、２重３重と重なることで、座体１０と脚体５０の重力や衝撃への耐久性は向上する。しかし、使用する樹脂シートの面積を大きく重ねるほど使用する樹脂シートの材質重量は重くなり、その結果、座体１０の重量が増えて脚体５０への負担が大きくなる。
【００４４】
また、本発明のイス１は、１枚の樹脂シートの無駄が極力発生しないように設計した結果、半円状の長辺部分を台形状に切り欠いた脚体５０の部材と、それに接するように、切り欠いた台形状部分を使用した台形状の下辺を二等辺三角状に切り欠いた座体１０部材とを１枚の樹脂シートから切り出したため、上記のような重なりの構成となる。
【００４５】
脚体左側接合上面部６３の端部に係止手段２を設ける。本発明において具体的には、脚体左側接合上面部６３の端部に、樹脂シートを挟むようにホック凸部材押面３とホック凸部材嵌合面４を、上下２箇所に設け、それらと嵌合する係止手段２として、脚体背面部５５と脚体左側接合下面部６４の間に樹脂シートを挟むようにホック凹部材押面５とホック凹部材嵌合面６を、上下２箇所に設けた。
【００４６】
さらに、脚体右側接合下面部６２の端部に係止手段２を設ける。本発明において具体的には、脚体右側接合下面部６２の端部中央に、樹脂シートを挟むようにホック凹部材押面５とホック凹部材嵌合面６を設け、それらと嵌合する係止手段２として、脚体背面部５５と脚体右側接合上面部６１の間の中央に樹脂シートを挟むようにホック凸部材押面３とホック凸部材嵌合面４を設けた。
【００４７】
係止手段２として、ホックを使用する場合、ホック凸部材とホック凹部材を嵌合することにより係止する。ホック凸部材とホック凹部材は、それぞれ、押面を有する部材と、嵌合面を有する部材から構成される。ホック凸部材とホック凹部材を嵌合する樹脂シートの任意の位置に孔をあけ、押面を有する部材を表面から、嵌合面を有する部材を裏面から穴に当て入れ、専用の金台上で殴打することによりホック凸部材またはホック凹部材が完成して、ホック凸部材とホック凹部材を嵌合することにより樹脂シート同志を係止する。
【００４８】
本発明では、平板の樹脂シートを係止して立体形状を保持するための係止手段２を設け、美観を重視して立体形状を保持するための最低限の数として計３カ所とするか、保持力を重視して４か所以上の箇所に設けて保持力を向上するかは、任意でよい。
【００４９】
このように、平板の樹脂シートから断裁した２つの部材を、立体形状の座体１０と脚体５０を構成して、略円錐状体の脚体５０の開口部５６に、漏斗状の座体１０を載置して、イス１とする。
【００５０】
樹脂シートの素材は、防炎、不燃、半透明、透明、繊維入り、ＥＣＯ，防水、吸水防止、撥水加工、帯電防止、耐熱、遮熱、断熱、保冷、防虫、防音、棒油、耐寒（−３０℃〜−７０℃）、フッ素防汚、光触媒加工、遮光、ＵＶカット、黄変防止等の様々な機能を有する物がある。
【００５１】
樹脂シートのサイズは、９１５ｍｍ幅、１０７０ｍｍ幅、１３７０ｍｍ幅、１８３０ｍｍ幅等ある。樹脂シートの厚みは０．０５ｍｍ厚、０．０８ｍｍ厚、０．１ｍｍ厚、０．１５ｍｍ厚、０．２ｍｍ厚、０．３ｍｍ厚、０．４ｍｍ厚、０．５ｍｍ厚、０．８ｍｍ厚、１．０ｍｍ厚、１．５ｍｍ厚、２．０ｍｍ厚、３．０ｍｍ厚、５．０ｍｍ厚等、様々なものがある。
【００５２】
本発明で使用した樹脂シートは、一般に塩化ビニールシートと呼ばれ、ロール販売されている、厚さ：５ｍｍ、幅：９１５ｍｍ、材質：ポリ塩化ビニル／ＰＶＣ／軟質塩ビ（粉なしタイプ）、商品重量：約３０ｋｇ／５ｍ（５０，０００ｍｍ）のもので、一般的には、汚れ防止やキズ（傷）防止の養生シート、テーブルマット、各種マット、デスクマット、間仕切りシート等に使用される。
【００５３】
本発明において樹脂シートは、イス１の部材を構成する素材であるため、人の体重を支えることができ、加工性も備えた厚さ５ｍｍの塩化ビニールシートを採用した。
【００５４】
樹脂シートは透明なものから着色されたもの等さまざまなデザインのものがあり、本発明では無色透明の樹脂シートを使用したが、好みで任意の樹脂シートを採用してよい。
【００５５】
樹脂シートの機能はさまざまなものを付加したものがあり、イス１の使用環境等に応じて選択することが好ましい。例えば、炎天下で使用する場合は、耐熱、遮熱、ＵＶカット、黄変防止等機能を付加してもよい。
【００５６】
本発明のイス１の実施例では、図１２展開図に示すとおり、樹脂シートの幅方向を縦にして、長さ方向を横にして、半円状の長辺部分を台形状に切り欠いた脚体５０の部材と、それに接するように、切り欠いた台形状部分を使用した台形状の下辺を二等辺三角状に切り欠いた座体１０部材とを切り出して、無駄を排除した断裁とした。
【００５７】
樹脂シートへの部材の配置は、樹脂シートのサイズにより異なるため、任意に配置して断裁してよい。
【００５８】
本発明のイス１の実施例の具体的な断裁寸法は、半円状の長辺部分を台形状に切り欠いた脚体５０の部材の縦横の寸法を９１５ｍｍ×１５９１ｍｍとした。
【００５９】
本発明のイス１の実施例では、図１３組み立て完成品の寸法説明図に示すように、脚体床接合辺５８部分の直径５００ｍｍ、右肘部角４２と左肘部角４４の距離６００ｍｍ、脚体床接合辺５８から背部頂点部３１までの距離６４０ｍｍ、脚体背面部５５の高さ３２０ｍｍ、座体１０の設置高さ５００ｍｍ、とした。
【００６０】
必要なイスの大きさは、使用者や使用場所によって異なるため、平板の樹脂シートから断裁した部材を、立体形状の座体１０と脚体５０を構成して、略円錐状体の脚体５０の開口部５６に、漏斗状の座体１０を載置して、イス１とすることが可能であれば、設計寸法は任意である。
【００６１】
樹脂シートは、一般的にロール状で流通しているため、樹脂シートに巻癖がついていることがある。巻癖に沿うように曲成するとしなやかに納まり、反対に、巻癖に反するように曲成すると跳ねるような強い張りを付与することができる。
【００６２】
本発明のイス１は、座体１０、脚体５０とも、巻癖に反するように曲成した。座体１０を巻癖に反するように曲成すると、肘部４０に外向きの反りが出て、腕を置く面ができる。また、脚体５０を巻癖に反するように曲成すると張りが出て、開口部５６に座体１０を載せ置き人間が座った場合、脚体５０への加重に対する強度を出すことができる。
【００６３】
樹脂シート設けた係止手段２は、一般にジャンバーホックと呼ばれる凸部材と凹部材を嵌合して係止するものである。ジャンバーホックは、特別な機械や専門的な道具を必要とせずとも樹脂シートを確実に係止して、平面状の部材を曲成した立体形状を簡便に固定し、解除することのできる係止手段である。
【００６４】
ジャンバーホックは、素材、凸部材の押面の直径、足の径や足の長さにさまざまなものがある。素材は、耐久性に影響を与えるが、真鍮材にニッケルメッキ加工処理をした耐食性を向上させたものは加工性に優れる。足の長さは、留めつける素材の厚みにより選択する。
【００６５】
本発明の係止手段２は、素材：ニッケルメッキ、足の長さ：１１ｍｍ、押面の直径：１５ｍｍ、足の径：４ｍｍのジャンバーホックを使用した。
【００６６】
本発明では、係止手段２として、入手およびサイズの選択が容易なジャンバーホックを使用したが、樹脂シートを係止して立体形状を保持できれば、どのような係止手段を使用してもよく、特に限定はない。
【００６７】
次に、本発明のイス１の組み立て方法について説明する。
【００６８】
図６は本発明のイス１の１実施例の展開図、図７は組み立て工程１、図８は組み立て工程２、図９は組み立て工程３、図１０は組み立て工程４を示す説明図である。
【００６９】
本発明のイス１は、図６のとおり切断可能な厚みを有する樹脂シートを切断して、図７のとおり台形状で下辺を二等辺三角状に切り欠いた座体１０と、半円状の長辺部分を台形状に切り欠いた脚体５０を分離する。
【００７０】
図８のとおり、座体１０は台形状で下辺を二等辺三角状に切り欠いた樹脂シートを漏斗状に曲成し、脚体５０は半円状の長辺部分を台形状に切り欠いた樹脂シートを開口部５６を有する略円錐状体に曲成し、図９のとおり座体１０と脚体５０に設けた係止手段２でそれぞれ固定して立体形状とし、図１０のとおり座体１０は脚体５０の開口部５６に位置方向・角度を調整して着脱自在に載置して組み合わせて製造する。
【００７１】
本発明のイス１の座体１０は脚体５０は、脚体正面交差上面部５９と脚体正面交差下面部６０の交差した脚体正面交差点５２を脚体正面部５１の中央部の点と、座体１０の座部２０の座部正面縁部２２の中央部の点とが椅子に対して垂直に位置するように配置した。
【００７２】
次に、本発明のイス１の使用法について説明する。
【００７３】
図１１は本発明のイスの１実施例の使用状態を示す説明図である。座部湾曲部２１にお尻をあて、座部正面縁部２２に膝の後ろが当たるように座体１０に腰掛ける。休息性をさらに求める場合には、背部３０に背中を添わせるようにもたれかかることができる。
【００７４】
次に、本発明のイス１の効果について説明する。
【００７５】
本構成によるイス１は、平板の樹脂シートから、イス１の構成部材である、台形状で下辺を二等辺三角状に切り欠いた座体１０と、半円状の長辺部分を台形状に切り欠いた脚体５０を、断裁して組み立てることにより、漏斗状の座体１０と、略円錐台形の脚体５０を形成して、立体形状の部材を形成することができる。
【００７６】
さらに、座体１０を、脚体５０の開口部５６に載せ置くだけで、イス１を構成することができ、着脱自在とすることができる。
【００７７】
２つの部材からシンプルに構成したイス１を提供することができる。
【００７８】
このように、立体形状としてのイス１を使用しない場合は、座体１０は台形状で下辺を二等辺三角状に切り欠いた樹脂シートに、脚体５０は半円状の長辺部分を台形状に切り欠いた樹脂シートに戻して平面とすることができる。
【００７９】
樹脂シートはロール状に巻くことができるため、イス１の不使用時には平面またはロール形状で移動・収納することができ、立体形状のイス１として移動・収納する場合に比して少ない労力で移動でき、少ない保管場所で済む。
【００８０】
平板の樹脂シートからイス１の部材となる座体１０と脚体５０をそれぞれ断裁して、立体形状に曲成した部材を、係止手段２で留めあわせ固定することにより、簡便かつ確実に立体形状を保持でき、また、イス１を使用しない場合には、係止手段２を解放して係止状態を簡便に解除することができ、立体形状のイス１を樹脂シート本来の平面またはロール形状に戻すことが可能である。
【００８１】
このように、イス１を使用する場合の立体形状に比して、イス１を使用しない場合は平面またはロール状の樹脂シートとして、コンパクトに移動・収納することができるイス１を提供できる。
【００８２】
座体１０は１枚の樹脂シートから、台形状で下辺を二等辺三角状に切り欠いた形状に断裁して漏斗状としたことにより、腰かける機能のみにとどまらず、背部３０に寄りかかって腰を解放したり、肘部に腕を載せて肩を解放して、安楽を得ることができる。
【００８３】
イス１の使用者の身体の大きさや好みにより、求める座り心地は異なるため、脚体５０の開口部５６に載置した座体１０の、載置位置および載置角度を調整可能とすることにより、イス１の居住性・休息性を高めることができる。
【００８４】
平面から立体形状の構成体を形成し、不使用時には平面またはロール形状に変形可能であり、使用時に比して収納場所を必要としない、シンプルな構成からなるイス１を製造することができる。
【産業上の利用可能性】
【００８５】
本発明により、１枚の平面から立体形状の構成体を形成し、不使用時には平面またはロール形状に変形可能であり、使用時に比して収納場所を必要としない、シンプルな構成からなるイスを提供することができる。
【符号の説明】
【００８６】
１  イス
２  係止手段
３  ホック凸部材押面
４  ホック凸部材嵌合面
５  ホック凹部材押面
６  ホック凹部材嵌合面
１０  座体
２０  座部
２１  座部湾曲部
２２  座部正面縁部
３０  背部
３１  背部頂点部
３２  背部接合上面部
３３  背部接合下面部
３４  背部隙間部
４０  肘部
４１  右肘部
４２  右肘部角
４３  左肘部
４４  左肘部角
５０  脚体
５１  脚体正面部
５２  脚体正面交差点
５３  脚体右側面部
５４  脚体左側面部
５５  脚体背面部
５６  開口部
５７  脚体座体支持辺
５８  脚体床接合辺
５９  脚体正面交差上面部
６０  脚体正面交差下面部
６１  脚体右側接合上面部
６２  脚体右側接合下面部
６３  脚体左側接合上面部
６４  脚体左側接合下面部
７１  椅子
８０  脚体
８０ａ  支柱部
８０ａ−ｒ  支柱部
８１  座
８１Ａ  座本体
８１Ａ−ａ  前縁湾曲面
８１Ｂ  裏面カバー
８１Ｂ−ａ  底部壁
８２  背凭れ
８３  把手用開口
８５  窪み部
８６  ボス部
８８  空間部
【図１】
2019202095.tif 000003
【図２】
2019202095.tif 000004
【図３】
2019202095.tif 000005
【図４】
2019202095.tif 000006
【図５】
2019202095.tif 000007
【図６】
2019202095.tif 000008
【図７】
2019202095.tif 000009
【図８】
2019202095.tif 000010
【図９】
2019202095.tif 000011
【図１０】
2019202095.tif 000012
【図１１】
2019202095.tif 000013
【図１２】
2019202095.tif 000014
【図１３】
2019202095.tif 000015
【図１４】
2019202095.tif 000016